(57)【要約】【課題】  カードリーダに読み取らせるべき本人登録情報が記録されたＩＣカードが作業服などの内ポケットや作業服に設けた専用ホルダに収納されていても、カードリーダに読み取らせる際に、そのＩＣカードをいちいち取出したり、元にしまったりする必要のないカードリーダを備えた入室管理装置を提供すること。【解決手段】  特定エリアの扉５に設けられた電気錠の施解錠を、予め登録された非接触式ＩＣカードの読み取りデータと登録されたデータを照合することにより制御する入室管理装置において、扉または扉近傍の壁面部Ｗに設けられたカードリーダ制御部本体７と、該制御部本体７にコード８又は無線で接続され、壁面部Ｗ側に設けられた保持具４に着脱自在に装着されたカードリーダ３とを備えたこと。【選択図】図１
2010113643.tif 000002
【特許請求の範囲】
【請求項１】
特定エリアの扉に設けられた電気錠の施解錠を、予め登録された非接触式ＩＣカードの読み取りデータと登録されたデータを照合することにより制御する入室管理装置において、扉または扉近傍の壁面部に設けられたカードリーダ制御部本体と、該制御部本体にコード又は無線で接続され、壁面部側に設けられた保持具に着脱自在に装着されたカードリーダとを備えたことを特徴とする入室管理装置。
【請求項２】
カードリーダは、略平担面に形成されたＩＣカード読み取り部を表側に向け、壁面と平行状態に保持されるように、保持具に着脱自在に装着した請求項１の入室管理装置。
【請求項３】
保持具は、カードリーダ制御部本体を備えたパネルに取り付けられた請求項１又は２の入室管理装置。
【請求項４】
カードリーダ制御部本体には、カード読み取りの照合結果を表示する表示部を設けた請求項１〜３のいずれかの入室管理装置。
【請求項５】
カードリーダ制御部本体を備えたパネルの表面側に、メンテナンス用の扉を備えた開口部を設けた請求項１〜４のいずれかの入室管理装置。
【発明の詳細な説明】
【技術分野】
【０００１】
本発明は入室管理装置に関し、より具体的には、カードリーダの配置に工夫を施した入室管理装置に関する。
【背景技術】
【０００２】
従来から、種々の識別子（Identification）によりいわゆる本人情報の登録がなされた非接触式のＩＣカードの本人登録情報をカードリーダに読み取らせ、読み取った情報と制御部に登録されている本人情報とを照合することにより入口扉の電気錠の施解錠を行うようにした入室管理装置がある。
【０００３】
公知の入室管理装置の一例としては、入口扉又はその扉の脇の壁面に入室管理装置のカードリーダが配設されており、入室者はこのカードリーダに自分が持っている非接触式のＩＣカードをかざしてそのカードの本人登録情報を読み取らせ、予め入室許可者として登録されている登録情報と上記の読取った情報が一致していれば、前記扉の電気錠が解錠され扉を開けることができるようにしたものがある（例えば、特許文献１参照）。
【０００４】
上記のように、非接触ＩＣカードを用いた入室管理装置では、ＩＣカードを常に本人が携帯している必要があるため、一般オフィス等では、ケースに収めたＩＣカードをそのケースにストラップを付けて首から吊下げたり、ケースにクリップを付けて当該クリップでＩＣカードを胸ポケットに止めるようにした携帯スタイルが多い。
【０００５】
一方、いわゆる現業事業所、例えば物流倉庫や航空機等の整備工場、或は、様々な物の製造工場などの事業所では、作業に従事する者の安全等のために、カバーオールと称される作業用の上衣とズボンが上下で一体に繋がったいわゆるつなぎ作業服を着用した者も多く、作業従事者がそのようなつなぎ作業服を着用している事業所では、前記ＩＣカードを首から下げていたり、ポケットにクリップで止めた状態でのＩＣカードの携帯態様は、カードが作業の邪魔になったり機械に巻込まれるなどのおそれもあって危険である。
【０００６】
上記問題に対処するため、前記ＩＣカードをつなぎ作業服の内側に着用した別の着衣の胸ポケットに収容したり、つなぎ作業服の胸部に縫着して設けたＩＣカード専用のホルダにＩＣカードを収容したりしているが、そのようなＩＣカードの携帯態様であると、当該カードをカードリーダにかざすため、いちいち内ポケットやホルダからＩＣカードを出さなければならず、また、かざした後はポケットやホルダにそのカードを戻し収めをしなければならないため、その出入れ操作が煩しく、きわめて面倒であるという問題があった。
【特許文献１】特開平９−２９４１０６号公報
【発明の開示】
【発明が解決しようとする課題】
【０００７】
本発明は、上記のような非接触型ＩＣカードを使用する入室管理装置の問題点に鑑み、カードリーダに読み取らせるべき本人登録情報が記録されたＩＣカードが作業服などの内ポケットや作業服に設けた専用ホルダに収納されていても、カードリーダに読み取らせる際に、そのＩＣカードをいちいち取出したり、元にしまったりする必要のないカードリーダを備えた入室管理装置を提供することを、その課題とする。
【課題を解決するための手段】
【０００８】
上記課題を解決することを目的としてなされた本発明入室管理装置の構成は、特定エリアの扉に設けられた電気錠の施解錠を、予め登録された非接触式ＩＣカードの読み取りデータと登録されたデータを照合することにより制御する入室管理装置において、扉または扉近傍の壁面部に設けられたカードリーダ制御部本体と、該制御部本体にコード又は無線で接続され、壁面部側に設けられた保持具に着脱自在に装着されたカードリーダとを備えたことを特徴とするものである。
【０００９】
上記の本発明入室管理装置において、カードリーダは、略平担面に形成されたＩＣカード読み取り部を表側に向け、壁面と平行状態に保持されるように、カードリーダの保持具に着脱自在に装着すると共に、前記保持具は、カードリーダ制御部本体を備えたパネルに取り付ける。このような構成を採ると、保持具に着脱自在に保持されたカードリーダは、その保持部から外して、ポケットや専用ホルダに収められているＩＣカードまで手で持ってきて、本人登録情報を読み取らせることができると共に、従来の固定されたカードリーダと同じようにストラップで首から下げたＩＣカードをかざして情報の読み取りをさせることができる。しかも、前記保持具はカードリーダ制御部本体を裏面に備えたパネル前面に一体に設けられることにより、カードリーダ，その保持具，制御部本体ユニットをワンパッケージとして取扱うことができるので、本発明装置の取付けやメンテナンス、或は、付け替えなどの取扱い上便宜である。
【００１０】
上記入室管理装置のカードリーダ制御部本体には、ＩＣカードの読み取り照合結果を表示する表示部が設けられている。この表示部の作動によって照合結果を目視によっても確認できて便利である。また、カードリーダ制御部本体の表面には、扉付きの開口部を設けてメンテナンスを行いやすいようにしている。
【発明の効果】
【００１１】
本発明は、特定エリアの扉に設けられた電気錠の施解錠を、予め登録された非接触式ＩＣカードの読み取りデータと登録されたデータを照合することにより制御する入室管理装置において、扉または扉近傍の壁面部に設けられたカードリーダ制御部本体と、該制御部本体にコード又は無線で接続され、壁面部側に設けられた保持具に着脱自在に装着されたリーダ部とから入室管理装置を構成したから、ＩＣカードがつなぎ作業服の内ポケットやその服に設けた専用ホルダに収められていても、カードリーダをその保持部から外して前記ポケットやホルダに収められている本人登録情報を読取らせることができるので、従来のようにＩＣカードをいちいち内ポケットや専用ホルダから取出したり、再びそのポケットやホルダにしまい込むという煩しさを完全に払拭することができる。
【００１２】
また、カードリーダはその読み取り面を壁面や本発明装置本体と平行な姿勢で保持具に保持させているので、ストラップで首から下げたＩＣカード、或は、胸ポケットにクリップで止めたＩＣカードも、従来と同じかざし操作によってその記録情報を読み取らせることができる。
従って、本発明入室管理装置は、ＩＣカードに記録された本人登録情報の読み取り態様が多様化できるので、特にカバーオール等の作業着を着用して内ポケットや専用ホルダにＩＣカードを収納した作業者と、ＩＣカードをストラップで首から吊下げたりクリップで胸ポケットなどに止めた見学者や事務員などとが混在する整備工場等にあっては、実用上の有用性がきわめて高い。
【発明を実施するための最良の形態】
【００１３】
次に本発明入室管理装置の実施の形態の一例について、図を参照して説明する。添付した図面において、図１は本発明入室管理装置を説明するため装置の構成を概略的に示した側断面図、図２は図１の本発明入室管理装置の正面図、図３は本発明入室管理装置の使用態様の一例の側面図である。
【００１４】
図に例示した本発明入室管理装置は、扉（図示せず）又はその扉の脇などの壁Ｗに装置本体が埋設された状態で設置される。図１において、１は本発明装置における正面パネルで、壁Ｗの厚み内に前記パネル１で蓋状に塞ぐことができる設置空間Ｓがあれば、図１に示したように、正面パネル１の裏面（壁空間Ｓの内部側）に、後述するカードリーダ制御部本体７が設けられる。
【００１５】
上記壁Ｗによる空間Ｓが形成されない場所では、この空間Ｓに代え正面パネル１の裏面側には、パネル１の裏面に取付けたカードリーダ制御部本体７が収まる筐体（図示せず）が設けられる。
【００１６】
正面パネル１の前面側には、後述するカードリーダ３での読み取り結果や装置が動作可能状態（待機状態）にあるかをパイロットランプ等で表示する表示部２がパネル上部に、該表示部２の下方にカードリーダ３を着脱自在に支持する保持具としてのホルダ４が、パネル下部には、メンテナンス用の扉５を前面に備えたメンテナンス口６が、それぞれ設けられている。ここで、メンテナンス口６は、パネル面から函状に突出した形態に形成され、後述するように底部よりカールコード８に接続されているため、コード８に負担がかからず、しかも、メンテナンス扉５を開けてコード８の交換も簡単に行えるようにしている。
【００１７】
なお、カードリーダ制御部本体７は、図示しないが、一例として登録された複数の本人データの記録保持部、カードリーダ３で読取られるデータの入力部，入力データを前記保持部のデータと照合して本人判別をする入力データ判別部、本人であることの判別ができたとき電気錠に解錠指令（又は施錠指令）とその旨の表示指令を出力する制御信号の出力部、これらの電源部などを主体に構成されている。
【００１８】
カードリーダ３は、このリーダ３に非接触でかざされるＩＣカード（図示３の符号９参照、以下、同じ）から発信される微弱信号を受信するアンテナ、そのアンテナからの入力をレベル調整する入力調整部などを内部に備えている。このカードリーダ３の外形は、人が手で握るのに適した形，大きさに整えられているが、図示した例では隅部をアール処理した厚さ20mm前後，幅50mm前後，高さ80mm前後の直方体状に形成されたものである。また、このカードリーダ３とカードリーダ制御部本体７とは、この実施例ではカールコード８により接続されている。前記コード８は、カードリーダ３の底から出てメンテナンス口６の底部から前記制御部本体７に接続されている。なお、カードリーダ３とカードリーダ制御部本体７の接続は、上記例の有線に限られるものではなく、例えば、ブルートゥース（登録商標）などの無線接続方式であってもよい。
【００１９】
カードリーダ３のホルダ４は、当該リーダ３の正面を正面パネル１の正面と平行は姿勢で保持し、首からストラップで吊下げられたＩＣカード９をかざしてもカードリーダとして作動するように形成されている。
【００２０】
このため図示した例のホルダ４は、底を備えた平面視略コ状をなすホルダ体4a，4bの２個を、カードリーダ３を左右から挟持できる形で正面パネル１に設けることにより、このホルダ体4a，4bの底4c，4dに当該カードリーダ３が載架されるように形成したものである。なお、本発明においてホルダ４の形態はこの例のものに限られない。すなわち、適宜の正面形状，厚さの形態に形成されたカードリーダ３を正面パネル１の前面においてリーダ部が当該パネル１と平行な姿勢で着脱自在に保持できる形態を備えていればよい。
【００２１】
上記例のように構成された本発明入室管理装置は、カードリーダ３がそのホルダ４に、壁Ｗや正面パネル１と平行な姿勢で前記パネル１の前面に位置付けられて保持されているので、従来の正面パネル１の表面内にカードリーダ３が配置されていた入室管理装置と全く同様に使用できる。
つまり、首からストラップを介して吊下げているＩＣカード９や胸ポケットにクリップなどで止めているＩＣカード９を手に持って前記カードリーダ３にかざすことよって、そのＩＣカードの登録情報をカードリーダ３に読み取らせることができる。
【００２２】
一方、本発明入室管理装置では、カードリーダ３をホルダ４から取出すことができるので、例えばつなぎ作業服の内衣のポケットや同作業服に設けたカードホルダにＩＣカードが収納されていて、そのカードの取出しに手間がかかる場合には、図３に例示したように、入室しようとする者Ｍがホルダ４から外したカードリーダ３を、作業服の内ポケットなどに収納されているＩＣカード９にそのリーダ３の読取り面を対面させることにより、当該ＩＣカード９に記録されている情報をこのリーダ３で読み取ることができる。しかも、読み取り結果は、壁面部に設けられたカードリッダ制御部本体７の表示部２に表示されるため、読み取り作業中に自然に視認でき、入室がスムーズに行なえる。
【００２３】
この結果、従来の入室管理装置では、いちいち内ポケットや専用ホルダに収納しているＩＣカードを取出し、正面パネル１の面内に一体に設けられたカードリーダ３に取出したＩＣカードをかざしてカードに記録された情報を読取らせる煩しさがなくなる。また、取出したＩＣカードを内ポケットや専用ホルダに改めてしまう必要もなくなるので、ＩＣカードの出入れに伴い、カードを汚損したり紛失したりするおそれは皆無である。
【産業上の利用可能性】
【００２４】
本発明は以上の通りであって、非接触ＩＣカードを使用する入室管理装置を、予め登録された非接触式ＩＣカードの読み取り照合により特定エリアの扉に設けられた電気錠の施解錠を制御する入室管理装置において、扉または扉近傍の壁面部に設けられたカードリーダ制御部本体と、制御部本体にコード又は無線で接続され、壁面部側に設けられた保持具に着脱自在に装着されたカードリーダ部とから構成したので、ＩＣカードがつなぎ作業服の内ポケットやその服に設けた専用ホルダに収められていても、カードリーダをその保持部から外してポケットやホルダに収められている本人登録情報を読取らせることができるので、従来のようにＩＣカードをいちいち内ポケットや専用ホルダから取出したり、再びそのポケットやホルダにしまい込むという煩しさがなく、実用上きわめて利便性が高い。
【図面の簡単な説明】
【００２５】
【図１】本発明入室管理装置を説明するため装置の構成を概略的に示した側断面図。
【図２】図１の本発明入室管理装置の正面図。
【図３】本発明入室管理装置の使用態様の一例の側面図。
【符号の説明】
【００２６】
１    正面パネル
２    表示部
３    カードリーダ
４    カードリーダのホルダ
５    扉
６    メンテナンス口
７    カードリーダ制御部本体
８    カールコード
９    ＩＣカード
【図１】
2010113643.tif 000003
【図２】
2010113643.tif 000004
【図３】
2010113643.tif 000005